(57)【要約】【課題】  対象者の身辺に配置されており、前記対象者の行動をセンサで検知する少なくとも１以上の福祉機器から発信される出力信号を、前記福祉機器から離れた場所で受信する簡易型受信器を提供する。【解決手段】  対象者の身辺に配置され対象者の行動をセンサで検知する少なくとも１以上の福祉機器から発信される出力信号を、前記福祉機器から離れた場所で受信する簡易型受信器１であって、該簡易型受信器１は、前記何れかの福祉機器からの出力信号を受信する受信部と、前記出力信号を発信した福祉機器を特定する表示部６と、前記出力信号を受信したことを報知する報知部（スピーカ２３及びバイブレータ２４）と、前記各部を制御する制御部２７と、前記各部に電力を供給する蓄電池２６と、より構成されている簡易型受信器１。【選択図】  図１
0003220896.tif 000002
【実用新案登録請求の範囲】
【請求項１】
対象者の身辺に配置され該対象者の行動をセンサで検知する少なくとも１以上の福祉機器から発信される出力信号を、前記福祉機器から離れた場所で受信する受信器であって、該受信器は、
前記何れかの福祉機器からの出力信号を受信する受信部と、
前記出力信号を発信した福祉機器を特定する表示部と、
前記出力信号を受信したことを報知する報知部と、
前記各部を制御する制御部と、
前記各部に電力を供給する蓄電池と、
から構成されていることを特徴とする、対象者の行動を検知する簡易型受信器。
【請求項２】
前記受信器の報知部は、個別にＯＮ、ＯＦＦが可能なバイブレータとスピーカから構成されていることを特徴とする請求項１に記載の対象者の行動を検知する簡易型受信器。
【請求項３】
前記受信器の蓄電池は、非接触型の充電器により充電されることを特徴とする、請求項１又は２に記載の対象者の行動を検知する簡易型受信器。
【請求項４】
前記受信器の筐体は防水構造であることを特徴とする、請求項１〜３のいずれかに記載の対象者の行動を検知する簡易型受信器。
【考案の詳細な説明】
【技術分野】
【０００１】
対象者の身辺に配置されており、該対象者の行動をセンサで検知する少なくとも１以上の福祉機器から発信される出力信号を、前記福祉機器から離れた場所で受信する簡易型受信器に関する。
【背景技術】
【０００２】
病院、介護施設及び家庭等において対象者の介護・介護を行う場合、看護・介護者には精神的、肉体的に非常に大きな負担がかかっている。これを軽減するために様々な福祉機器（本願においては、センサを用いて対象者を検知する機器と定義する。）が提案されている。例えば、本出願人は、対象者の居室または身辺に設置する離床センサとして、荷重検知センサ（特許文献１参照）、コードレス荷重検知センサ（特許文献２参照）、寝具から人が離床したことを識別する識別装置（特許文献３参照）、名札タグ及び該名札タグを用いた徘徊者検知装置（特許文献４参照）等を提供している。
【先行技術文献】
【特許文献】
【０００３】
【特許文献１】実用新案登録第３１７０３９６号公報
【特許文献２】特許登録第４４１４４６５号公報
【特許文献３】実用新案登録第３１６６８８２号公報
【特許文献４】実用新案登録第３２０７５９９号公報
【考案の概要】
【考案が解決しようとする課題】
【０００４】
先行文献１〜３に開示された各種離床センサは、通常、病院や介護施設等においてナースコールシステムに組み込まれて使用されている。また、先行文献４に示すように、一般的に使用されている受信器の電源は蓄電池（２次電池）を用いている。前記蓄電池に充電器から充電する際には、受信器本体の差込口にプラグを差込んで充電を行っている。この構造の場合、前記受信器を防滴・防水仕様にするためには、差込口を防水加工しなければならないという問題がある。また、長期間に亘り何度も給電プラグを抜き差しすることで差込口が緩くなったり、破損したりすることがある。さらに、従来の前記受信器は操作スイッチが多数あり、前記離床センサを前記受信器に登録設定するための手順が複雑であるという問題があった。
【課題を解決するための手段】
【０００５】
本考案は、前記課題を解決するためになされたもので、対象者の身辺に配置され該対象者の行動をセンサで検知する少なくとも１以上の福祉機器から発信される出力信号を、前記福祉機器から離れた場所で受信することが可能な受信器である。
該受信器は、前記何れかの福祉機器からの出力信号を受信する受信部と、前記出力信号を発信した福祉機器を特定する表示部と、前記出力信号を受信したことを報知する報知部と、前記各部を制御する制御部と、前記各部に電力を供給する蓄電池から構成されている簡易型受信器である。
【０００６】
前記受信器の報知部は、個別にＯＮ、ＯＦＦが可能なバイブレータとスピーカから構成されている。前記受信器の蓄電池は非接触型の充電器により充電されている。前記受信器の筐体は防水構造である。
【考案の効果】
【０００７】
本考案の簡易型受信器は、対象者の身辺に配置され該対象者の行動をセンサで検知する少なくとも１以上の福祉機器から発信される出力信号を、前記福祉機器から離れた場所で受信することが可能である。また、前記受信器の蓄電池は非接触型の充電器により充電される。これにより給電プラグの差込口が不要となり、容易に防水仕様とすることができるだけでなく、給電プラグの抜き差しによる破損のおそれがなくなり、前記受信器の耐久性が向上する。さらに、前記福祉機器と前記受信器の間の相互認証は、福祉機器のＩＤを前記受信器に無線伝送してペアリングすることにより操作性が向上する。
【図面の簡単な説明】
【０００８】
【図１】本考案の簡易型受信器の一実施例を示したもので（ａ）は正面図、（ｂ）は拡大側面断面図、（ｃ）は背面図である。
【図２】本考案の簡易型受信器の一実施例を示したブロック図である。
【図３】本考案の簡易型受信器の充電状態を示した模式図である。
【考案を実施するための形態】
【０００９】
図１において、簡易型受信器１の筐体はプラスチック製であり、長方形の表蓋２と裏蓋３により形成される内部空間を有している。前記表蓋２と裏蓋３は、前記表蓋２の表面表示部を除き、シリコン製の袋体４でシールされた防水構造である。前記筐体の寸法は、横幅５０ｍｍ、縦幅９５ｍｍ、厚さ１５ｍｍ程度に形成されている。なお、図１（ｂ）の側面断面図は、内部構造を理解し易くするために厚さを拡大表示している。
【００１０】
図１（ａ）において、表蓋２の上部近傍にはスピーカ音を筐体外に放出するための長穴５が開口されている。前記長穴５は防水布２８を被着し、外部からの水は遮断するがスピーカ音は外部に出すことができる構造となっている。
【００１１】
前記長穴５の下部には、表示部６設けられている。この表示部６は３個のＬＥＤであり、簡易型受信器１に登録した離床センサを識別して表示するもので、本実施例では３個の離床センサを登録することができる。
【００１２】
前記表蓋２の下部側には、キーボード７(４個のボタン)が設けられている、登録ボタン７１はペアリングした離床センサを登録するものであり、消去ボタン７２は登録済の離床センサを削除するものである。７３は電源ボタンであり、押すたびにＯＮ，ＯＦＦが繰り返される。また、７４はスピーカ及びバイブレータボタンであり、押すことによって音の大・中・小・なし及びバイブレータのＯＮ、ＯＦＦが設定できる。この機能により、例えば、会議中などの状況に応じて音量やバイブレーションを使い分けすることができる。図１（ｃ）において、裏蓋３の上部縁にはストラップを係止するためのストラップ穴８が設けられている。
【００１３】
図１（ｂ）において、表蓋２と裏蓋３で囲まれた空間部には、内蔵アンテナ２１を有する受信部２２、スピーカ２３、表示部６、バイブレータ２４、キーボード７、充電回路２５、蓄電池２６及び制御部２７が内蔵されている。スピーカ２３の開口部には防水布２８が設けられている。
【００１４】
図２において、簡易型受信器１は福祉機器から発信された識別信号を内蔵アンテナ２１から受信する受信部２２と、複数（１〜３個）の福祉機器に設定された各ＩＤに対応してＬＥＤで表示する表示部６、前記福祉機器のＩＤを登録又は削除する登録ボタン７１及び消去ボタン７２、スピーカの音量調整及びバイブレータのＯＮ、ＯＦＦを設定するスピーカボタン７４及び電源をＯＮ、ＯＦＦする電源ボタン７３が設けられたキーボード７、スピーカ２３、バイブレータ２４、及びこれらを制御する制御部２７から構成されている。また、電源には、非接触型充電器３１で充電される蓄電池２６が用いられている。
【００１５】
図３において、１は簡易型受信器、３１は非接触型充電器である。非接触充電の受電側である簡易型受信器１は、充電回路２５を備えている。該充電回路２５の受電コイル３３は、簡易型受信器１を非接触型充電器３１の所定位置に載置した状態で、非接触型充電器３１側の給電コイル３５と対向するように配置されている。前記給電コイル３５からの発振信号は、電磁誘導作用により受電コイル３３に誘導され、この結果受電コイル３３両端にはＡＣ電圧が発生する。このＡＣ電圧は、整流部（記載しない）でＤＣ電流に整流され、さらに安定化電源部（図示しない）で所望の充電電圧に安定化される。安定化された充電電圧は、簡易型受信器１内の蓄電池２６を充電する。
【産業上の利用可能性】
【００１６】
本考案の簡易型受信器に装着された蓄電池は非接触型の充電器により充電されるので
容易に防水仕様とすることができ、耐久性が向上する。また、福祉機器と前記簡易型受信器の間の相互認証はペアリングできるので、操作性が向上し、福祉機器分野で広く使用することができる。
【符号の説明】
【００１７】
１  簡易型受信器
２  表蓋
３  裏蓋
４  袋体（シリコンカバー）
５  長穴
６  表示部
７  キーボード
８  ストラップ穴
２１  内蔵アンテナ
２２  受信部
２３  スピーカ
２４  バイブレータ
２５  充電回路
２６  蓄電池（２次電池）
２７  制御部
２８  防水布
３１  非接触型充電器
２２  充電回路
３３  受信コイル
３５  給電コイル
３６  ＡＣケーブル
３７  ＡＣプラグ
３８  コンセント
【図１】
0003220896.tif 000003
【図２】
0003220896.tif 000004
【図３】
0003220896.tif 000005